【手続補正書】
【提出日】平成15年11月28日(2003.11.28)
【手続補正１】
【補正対象書類名】明細書
【補正対象項目名】発明の名称
【補正方法】変更
【補正の内容】
【発明の名称】マルチディスプレイ三次元グラフィックス表示装置、及び三次元表示処理装置
【手続補正２】
【補正対象書類名】明細書
【補正対象項目名】特許請求の範囲
【補正方法】変更
【補正の内容】
【特許請求の範囲】
【請求項１】
複数のディスプレイが一体となって一つの三次元画像を表示するマルチディスプレイ三次元グラフィックス表示装置において、
前記複数のディスプレイに各々接続された複数の三次元表示処理部を備え、
前記三次元表示処理部は、
物体の三次元表示情報から物体単位で表示対象物体に外接する境界領域を作成するバウンダリボリューム作成手段と、
表示命令に従い前記各物体の境界領域から、該物体がみずからに接続された前記ディスプレイ画面内に入るか否かの判定を行うカリング手段とを有し、
前記カリング手段で画面内に入ると判断された物体の三次元表示情報を用いてみずからに接続された前記ディスプレイに表示される三次元画像を生成する
ことを特徴とするマルチディスプレイ三次元グラフィックス表示装置。
【請求項２】
前記バウンダリボリューム生成手段は、物体に対して外接する立方体を境界領域として生成する
ことを特徴とする請求項１記載のマルチディスプレイ三次元グラフィックス表示装置。
【請求項３】
前記カリング処理手段は、
視点、視線、視野、物体の配置の情報から表示すべき物体の境界領域に対して座標変換を行うバウンダリボリューム座標変換手段と、
座標変換された境界領域の少なくとも一部がみずからの画面位置に対応する視野の範囲に入るか否か判定するバウンダリボリューム視野内外判定手段とを有し、
視野内に入ると判定された境界領域に対応する物体の三次元物体情報を次の手段に渡す
ことを特徴とする請求項１記載のマルチディスプレイ三次元グラフィックス表示装置。
【請求項４】
複数のディスプレイが一体となって一つの三次元画像を表示するマルチディスプレイ三次元グラフィックス表示装置の前記複数のディスプレイに各々接続される三次元表示処理装置であって、
物体の三次元表示情報から物体単位で表示対象物体に外接する境界領域を作成するバウンダリボリューム作成手段と、
表示命令に従い前記各物体の境界領域から、該物体がみずからに接続された前記ディスプレイ画面内に入るか否かの判定を行うカリング手段とを有し、
前記カリング手段で画面内に入ると判断された物体の三次元表示情報を用いてみずからに接続された前記ディスプレイに表示される三次元画像を生成する
ことを特徴とする三次元表示処理装置。
【手続補正３】
【補正対象書類名】明細書
【補正対象項目名】００２４
【補正方法】変更
【補正の内容】
【００２４】
図３における２４機の各航空機はすべて形状は同一であり、１機当たり１００個のポリゴンから構成されている。まず、２４機の航空機の三次元表示情報１が三次元表示制御部２から同報通信にてすべての三次元表示処理部３１、３２、３３、３４に送られる。各三次元表示処理部では三次元表示情報管理手段３１０、３２０、３３０、３４０が受信し、２４機の三次元表示情報１を１機単位で三次元表示情報記憶手段３１２、３２２、３３２、３４２に登録する。


【手続補正４】
【補正対象書類名】明細書
【補正対象項目名】００５０
【補正方法】変更
【補正の内容】
【００５０】
次にクリッピング手段の動作について説明する。
クリッピング手段３１６は、照光計算手段３１５によって、照光計算された航空機ＡＰ１４，ＡＰ１５，ＡＰ２０，ＡＰ２１のポリゴンデータと視野情報から、視野からはみ出す部分を切り取った新たなポリゴンデータを作成する。このポリゴンデータ作成は航空機を構成するポリゴンそれぞれに対して行われる。


【手続補正５】
【補正対象書類名】明細書
【補正対象項目名】００５１
【補正方法】変更
【補正の内容】
【００５１】
また、クリッピング手段３２６は、照光計算手段３２５によって、照光計算された航空機ＡＰ２，ＡＰ３，ＡＰ８，ＡＰ９のポリゴンデータと視野情報から、視野からはみ出す部分を切り取った新たなポリゴンデータを作成する。このポリゴンデータ作成は航空機を構成するポリゴンそれぞれに対して行われる。


【手続補正６】
【補正対象書類名】明細書
【補正対象項目名】００５２
【補正方法】変更
【補正の内容】
【００５２】
また、クリッピング手段３３６は、照光計算手段３３５によって、照光計算された航空機ＡＰ４，ＡＰ５，ＡＰ１０，ＡＰ１１のポリゴンデータと視野情報から、視野からはみ出す部分を切り取った新たなポリゴンデータを作成する。このポリゴンデータ作成は航空機を構成するポリゴンそれぞれに対して行われる。


【手続補正７】
【補正対象書類名】明細書
【補正対象項目名】００５３
【補正方法】変更
【補正の内容】
【００５３】
また、クリッピング手段３４６は、照光計算手段３４５によって、照光計算された航空機ＡＰ１６，ＡＰ１７，ＡＰ２２，ＡＰ２３のポリゴンデータと視野情報から、視野からはみ出す部分を切り取った新たなポリゴンデータを作成する。このポリゴンデータ作成は航空機を構成するポリゴンそれぞれに対して行われる。


【手続補正８】
【補正対象書類名】明細書
【補正対象項目名】００５４
【補正方法】変更
【補正の内容】
【００５４】
次にピクセルデータ生成手段の動作について説明する。
ピクセルデータ生成手段３１７は、クリッピング手段３１６によって、クリップ処理された航空機ＡＰ１４，ＡＰ１５，ＡＰ２０，ＡＰ２１の各ポリゴンデータに対して、塗り潰しを行い、ピクセルデータを生成する。


【手続補正９】
【補正対象書類名】明細書
【補正対象項目名】００５５
【補正方法】変更
【補正の内容】
【００５５】
また、ピクセルデータ生成手段３２７は、クリッピング手段３２６によって、クリップ処理された航空機ＡＰ２，ＡＰ３，ＡＰ８，ＡＰ９の各ポリゴンデータに対して、塗り潰しを行い、ピクセルデータを生成する。


【手続補正１０】
【補正対象書類名】明細書
【補正対象項目名】００５６
【補正方法】変更
【補正の内容】
【００５６】
また、ピクセルデータ生成手段３３７は、クリッピング手段３３６によって、クリップ処理された航空機ＡＰ４，ＡＰ５，ＡＰ１０，ＡＰ１１の各ポリゴンデータに対して、塗り潰しを行い、ピクセルデータを生成する。


【手続補正１１】
【補正対象書類名】明細書
【補正対象項目名】００５７
【補正方法】変更
【補正の内容】
【００５７】
また、ピクセルデータ生成手段３４７は、クリッピング手段３４６によって、クリップ処理された航空機ＡＰ１６，ＡＰ１７，ＡＰ２２，ＡＰ２３の各ポリゴンデータに対して、塗り潰しを行い、ピクセルデータを生成する。


【手続補正１２】
【補正対象書類名】明細書
【補正対象項目名】００６１
【補正方法】変更
【補正の内容】
【００６１】
以上のように、この実施の形態１によれば、航空機を構成するポリゴンデータに対して座標変換処理を行う前にカリング手段により航空機を外接するような立方体を使い、おおまかに視野に入るかどうかを判定し、視野に入らない航空機のポリゴンデータは座標変換処理を行わないようにしたことで、カリング手段での座標変換処理は２４機×４頂点＝９６頂点と増えるが、各表示処理部の座標変換処理手段における座標変換処理を行う頂点数は２４機×１００頂点＝２，４００頂点から４機×１００頂点＝４００頂点に減り、合計、２４００−（４００＋９６）＝１９０４頂点の座標変換処理が削減され、座標変換処理の負荷が減る。また、マルチディスプレイ構成にし、各ディスプレイに計算機を接続し、視野分割して表示処理を行うことで、各表示処理部の処理負荷が軽減し、ディスプレイ数を増やし表示解像度を上げ、表示すべき物体の数を増やしても、表示性能が劣化しない。


【手続補正１３】
【補正対象書類名】図面
【補正対象項目名】図４
【補正方法】変更
【補正の内容】
【図４】
2001338310.tif 000001